(57)【要約】【課題】  厚肉部が形成された陰極線管用ガラスファンネルの成型時における位置決め基準部の形成箇所とその周辺とのガラス温度バランスの悪化を抑制して、位置決め基準部の平面性や寸法の狂い等の成型不良の発生確率を低減させる。【解決手段】  ファンネルボディ部５の広開口端２周辺に形成された厚肉部をなす第１領域11と、その狭開口端側に隣接して形成された薄肉部をなす第２領域12とを備えた構成において、第１領域12の外側面12aにのみ位置決め基準部10を形成する。好ましくは、ボディ部５の広開口端２近傍の最大外形線７から管軸と平行に第１領域11の狭開口端側の端縁Ｘに至るまでの所定距離ｈが、２ｍｍ＜ｈ＜１５ｍｍの関係を満たし、その最大外形線７から管軸と平行に位置決め基準部10の広開口端２側の端縁Ｘに至るまでの離間距離ｉが、ｉ＜ｈ＋２０ｍｍの関係を満たすようにする。【選択図】        図２
2004221050.tif 000002
【特許請求の範囲】
【請求項１】
管軸方向の一端及び他端にそれぞれ略矩形の広開口端及び略円形の狭開口端が形成され、前記広開口端から狭開口端側に向かうボディ部及びその狭開口端側に連なるヨーク部を有する略漏斗状の側壁部を備え、前記ボディ部の最大外形線から管軸と平行に狭開口端側に所定距離ｈを隔てた位置に至る第１領域の肉厚を、その狭開口端側の第２領域の肉厚よりも厚くすべく、前記第１領域の外側面と前記第２領域の外側面との連なり部に段差を設けた陰極線管用ガラスファンネルにおいて、
前記第２領域のみの外側面に、陰極線管用ガラスパネルとの封合時に利用される位置決め基準部を形成したことを特徴とする陰極線管用ガラスファンネル。
【請求項２】
前記所定距離ｈが、２ｍｍ＜ｈ＜１５ｍｍの関係を満たし、且つ前記ボディ部の最大外形線から管軸と平行に前記位置決め基準部の広開口端側の端縁に至るまでの離間距離ｉが、ｉ＜ｈ＋２０ｍｍの関係を満たすことを特徴とする請求項１に記載の陰極線管用ガラスファンネル。
【請求項３】
前記位置決め基準部の基準面の全領域が、前記第１領域の外側面よりも内側に位置していることを特徴とする請求項１または２に記載の陰極線管用ガラスファンネル。
【請求項４】
前記位置決め基準部の基準面は、未研磨面であることを特徴とする請求項１〜３の何れかに記載の陰極線管用ガラスファンネル。
【発明の詳細な説明】
【技術分野】
【０００１】
本発明は、陰極線管用ガラスファンネルに係り、特にボディ部の最大外形線の周辺に相対的に厚肉とされた領域が形成される陰極線管用ガラスファンネルに、陰極線管用ガラスパネルとの封合時に利用される位置決め基準部を形成するための技術に関する。
【背景技術】
【０００２】
周知のように、陰極線管用ガラスバルブは、前方に配置され且つ画像が表示されるガラスパネル（以下、単にパネルともいう）と、その後方に配置され且つ前記パネルと封合されて外部に偏向ヨークが装着されるガラスファンネル（以下、単にファンネルともいう）と、該ファンネルに溶着され且つ内部に電子銃が格納されるネックとから構成される。
【０００３】
前記パネルは、画像を表示する有効画面を備えたフェース部と、該フェース部にブレンドＲ部を介して連なり且つ前記ファンネルとの封合に供される略矩形の広開口端（シールエッジ面）を有するスカート部とから構成され、該スカート部は、相対向する２つの長辺部と相対向する２つの短辺部とを備えている。
【０００４】
前記ファンネルは、管軸方向の一端と他端とにそれぞれ、パネルとの封合に供される略矩形の広開口端（シールエッジ面）と、ネックとの溶着に供される略円形の狭開口端とが形成され、管軸を中心軸線とするファンネルの側壁部は、略漏斗状を呈すると共に、広開口端から狭開口端側の所定位置に至るボディ部及びその狭開口端側に連なるヨーク部を有し、該ボディ部は、相対向する２つの長辺部と相対向する２つの短辺部とを備えている。そして、このファンネルにおけるボディ部の広開口端は、前記パネルにおけるスカート部の広開口端にフリットガラスを介在させて溶着接合される。
【０００５】
この種の陰極線管は、近年におけるパネルのフェース部（前面）のフラット化並びにその有効画面の大型化に伴って重量増を招いているのが実情であり、このような問題に対処すべく、主としてファンネルの形態に工夫を施すことにより陰極線管の軽量化が図られている。その具体策として、ファンネルの広開口端の周辺を除外した領域の肉厚を薄くすること、詳しくは、その広開口端の肉厚を適度な厚さに維持しておくことによりパネルに対する所要の溶着強度を確保し且つその広開口端の周辺以外の領域については肉厚を薄くすることが行われる。
【０００６】
この場合、ファンネルの形状は、ボディ部における広開口端の周辺領域の外側面と、その狭開口端側の他の領域の外側面との連なり部に段差を設けることにより、広開口端の周辺領域の外側面が外側方向に隆起する態様とされる（例えば、下記の特許文献１及び特許文献２参照）。また、これ以外に、高い溶着強度を得る目的で、ファンネルの肉厚を全体的に薄くすることなく、広開口端の周辺領域に外側面が隆起する厚肉部を形成することも行われている。
【０００７】
一方、陰極線管として、色ずれ等の無い適正な画像を表示し得る構成とするためには、パネルとファンネル並びにネックのそれぞれの中心軸線が、ガラスバルブの管軸に対して相互に正確に位置決めされて組み立てられることが重要となる。そこで、ファンネルのボディ部における相隣り合う辺部の外側面の少なくとも３箇所、例えば長辺部の外側面における周方向の両端部２箇所と、短辺部の外側面の１箇所とに、パネルとの封合時に治具に当接して該パネルとの間で位置決めを行うための位置決め基準部が設けられる。この位置決め基準部は、治具が当接する基準面を頂部に有する凸状をなし、その基準面は、ファンネルの中心軸線から所定の距離になるように形成される。
【０００８】
従って、既述のように外側面が隆起する厚肉部を広開口端の周辺領域に有するファンネルについても、パネルとの封合時に利用される上記の位置決め基準部を形成する必要がある。そこで、図７(a),(b)に示すように、ファンネルのボディ部５'の広開口端２'周辺に設けられた厚肉部11'の外側面11a'に重ね合せるようにして、位置決め基準部10'が凸状に一体形成される（例えば、下記の特許文献３参照）。なお、図７(a)には、位置決め基準部10'が厚肉部11'及び薄肉部12'の外側面11a'、12a'から突出している部分のみに平行斜線を付している。
【０００９】
このように、ボディ部５'の厚肉部11'に重合状に位置決め基準部10'を形成するようにした主たる理由は、ボディ部５'の厚肉部11'と薄肉部12'との両者の外側面に同一突出寸法（同一突出厚さ）の位置決め基準部10'を形成するとした場合、肉厚全体中における位置決め基準部10'の肉厚の占める割合は、薄肉部12'の場合よりも厚肉部11'の場合の方が小さくなる。このため、位置決め基準部10'の非形成箇所に対する形成箇所の熱容量の増加比率は、厚肉部11'の場合の方が小さくなり、成型時のガラス温度分布は、厚肉部11'の場合の方が相対的に均一化され、良好な成型性が得られると考えたからである。
【特許文献１】特開２００２−２３７２６６
【特許文献２】特開２００２−２３７２６７
【特許文献３】特開２００２−１９７９９２（図１）
【発明の開示】
【発明が解決しようとする課題】
【００１０】
従来において、位置決め基準部10'を上記のようにボディ部５'の厚肉部11'に形成する場合には、位置決め基準部10'の基準面10a'の存在を明確に知得できることを主たる目的として、厚肉部11'の外側面11a'から位置決め基準部10'の外側面（基準面）10a'までの突出寸法ｔが決められていた。すなわち、この突出寸法ｔが不当に小さければ、位置決め基準部10'の基準面10a'を識別できないために、パネルとの封合時に作業ミスが発生したり、或いは作業の困難化を招く結果となる。そこで、この突出寸法ｔは、位置決め基準部10'の識別に対する安全性（余裕）をも考慮して、２ｍｍ〜２．５ｍｍ程度に設定されていた。
【００１１】
しかしながら、広開口端の周辺領域に厚肉部が形成されていない形状のファンネルについても、ボディ部の外側面から位置決め基準部の基準面までの突出寸法は、上記の設定値（２ｍｍ〜２．５ｍｍ程度）と同一であって、この設定値は、厚肉部が形成されたファンネルに特有の値ではなかった。
【００１２】
このため、厚肉部が形成されていることが原因となって、厚肉部が形成されていないファンネルでは予期し得ない理由によって成型不良を招くおそれが生じるに至った。すなわち、厚肉部11'が単に形成されているだけでも、厚肉部11'の熱容量が薄肉部12'に比して大きい上に、更に厚肉部11'に位置決め基準部10'が形成されていると、この位置決め基準部10'の形成箇所の熱容量が薄肉部12'の熱容量に比して大幅に大きくなり、厚肉部11'とこれに対応する薄肉部12'とでガラス温度バランスが極めて悪化することになる。そして、これらに対する冷却については、従来と同様の冷却手法を採用していたので、位置決め基準部10'における基準面10a'の平面性の狂いや寸法不良、更にはその周辺での皺やクラックの発生等の成型不良を生じていた。
【００１３】
本発明は、上記事情に鑑みてなされたものであり、厚肉部が形成されたファンネルの成型時における位置決め基準部の形成箇所とその周辺とのガラス温度バランスの悪化を抑制して、位置決め基準部の平面性や寸法の狂い等に代表される成型不良の発生確率を低減させることを技術的課題とする。
【課題を解決するための手段】
【００１４】
上記技術的課題を解決するためになされた本発明は、ボディ部の広開口端周辺に厚肉部が形成された陰極線管用ガラスファンネルについて、厚肉部が存在しているが故に生じる過度なガラス温度バランスの悪化及びこれに起因する成型不良の発生を抑制することを主目的とし、且つ、パネルとの封合時に位置決め基準部の基準面に当接する治具の構造に改良を加えるなどすれば、広開口端や管軸に対する位置決め基準部の相対位置が従来と大幅に相違することとなっても支障が生じないことに着目してなされたものである。
【００１５】
このような観点からなされた本発明は、管軸方向の一端及び他端にそれぞれ略矩形の広開口端及び略円形の狭開口端が形成され、前記広開口端から狭開口端側に向かうボディ部及びその狭開口端側に連なるヨーク部を有する略漏斗状の側壁部を備え、前記ボディ部の最大外形線から管軸と平行に狭開口端側に所定距離ｈを隔てた位置に至る第１領域の肉厚を、その狭開口端側の第２領域の肉厚よりも厚くすべく、前記第１領域の外側面と前記第２領域の外側面との連なり部に段差を設けた陰極線管用ガラスファンネルにおいて、前記第２領域のみの外側面に、陰極線管用ガラスパネルとの封合時に利用される位置決め基準部を形成したことを特徴とするものである。
【００１６】
ここで、「第１領域」とは、厚肉部が形成されている領域を意味する。なお、第１領域の一端である最大外形線よりも広開口端側に肉部が存在する場合には、この肉部も通例は厚肉部となる。そして、「第１領域の外側面」とは、管軸と平行な方向に対して所要の抜け勾配を有する平面または略平面（平面に近似する曲率半径の大きな円弧面）の狭開口端側の端部が、相対的に小さな曲率半径の凸状円弧面を介して第２領域の外側面に連接している場合には、上記の平面または略平面に凸状円弧面が連なった面を意味する。一方、「第２領域」とは、薄肉部が形成されている領域を意味する。そして、「第２領域の外側面」とは、急激な肉厚変化を伴うことなく狭開口端側に移行するに連れて管軸に漸次近づく湾曲面の広開口端側の端部が、相対的に小さな曲率半径の凹状円弧面を介して第１領域の外側面に連接している場合には、上記の湾曲面に凹状円弧面が連なった面を意味する。なお、上記の凸状円弧面と凹状円弧面とが直接連接する場合には、その連接位置が第１領域の外側面と第２領域の外側面との境界となり、また凸状円弧面と凹状円弧面とがそれぞれ両円弧面相互間の平面の両端に連接する場合には、その平面における両連接部の中央位置が第１領域の外側面と第２領域の外側面との境界となる。従って、「段差」は、上述の凸状円弧面と、凹状円弧面と、この両円弧面相互間に平面が介設される場合にはその平面との存在によって形成される。また、「位置決め基準部の基準面」は、管軸と略平行な面であって、例えば金型に対する必要最小限の抜け勾配が設けられた面である。
【００１７】
上記の構成によれば、薄肉部となる第２領域のみの外側面に位置決め基準部を形成し、厚肉部となる第１領域には位置決め基準部が一切跨っていないことから、従来のように第１領域の外側面に位置決め基準部を凸状に形成し且つ基準面までの突出寸法を２〜２．５ｍｍ程度に設定していた場合と比較して、第１領域の肉厚が厚くなることによる熱容量の不当な増大及びこれに起因する冷却の不充分さが抑制される。これにより、成型時における第１領域と第２領域とのガラス温度バランスが改善されると同時に、第１領域における位置決め基準部の形成箇所と非形成箇所とについてもガラス温度バランスに不当な悪影響が生じ難くなり、良好な成形性を確保することが可能となる。しかも、第２領域は薄肉部であって、本来的に充分な冷却が行われ得る部位であるため、この第２領域の外側面に位置決め基準部を形成しても、その事によって第２領域に冷却阻害が生じる確率は極めて低くなる。なお、このように第２領域の外側面に位置決め基準部を形成した場合には、従来の治具がパネルとの封合時に当接していた位置決め基準部の基準面と比較して、この場合の基準面の広開口端からの離隔寸法や管軸からの離隔寸法が大幅に異なるおそれがあるが、これに対しては治具の改良や異なる治具の使用等によって対処することができる。
【００１８】
上記構成において、ボディ部の最大外形線から管軸と平行に第１領域の狭開口端側の端縁に至るまでの所定距離ｈが、２ｍｍ＜ｈ＜１５ｍｍの関係を満たし、且つボディ部の最大外形線から管軸と平行に位置決め基準部の広開口端側の端縁に至るまでの離間距離ｉが、ｉ＜ｈ＋２０ｍｍの関係を満たすことが好ましい。
【００１９】
この場合、前記所定距離ｈが２ｍｍ以下であると、金型のメンテナンスが困難になると共に、ファンネルの充分な軽量化や、パネルに対する所要の溶着強度を確保する上で不利となり、また１５ｍｍ以上であると、厚肉部の領域が広くなり過ぎ、冷却が困難になることから、位置決め基準部の基準面の平面性が狂う等の成型不良のおそれが生じる。このような観点から、前記所定距離ｈは、上記の寸法範囲内に収まっていることが好ましい。一方、位置決め基準部は、第２領域の外側面における段差部を構成する上述の凹状円弧面またはこれに連なる平面におけるその連なり側の半分の面を始端として、狭開口端側に向かって形成されていてもよく、また第２領域の外側面における段差部よりも狭開口端側の位置（上述の湾曲面上の位置）を始端として、狭開口端側に向かって形成されていてもよい。この場合、ボディ部の勾配は、狭開口端側、詳しくはヨーク部側に移行するに連れて漸次緩やかになっている。従って、前記離隔距離ｉがｈ＋２０ｍｍ以上であると、第２領域の外側面の勾配が緩やかになり過ぎ、このような勾配の緩やかな外側面に管軸と略平行な基準面を有する位置決め基準部を形成したのでは、位置決め基準部の肉厚（肉部の体積）が不当に大きくなり、第２領域における位置決め基準部周辺のガラス温度バランスが悪化して、成型不良等を招くおそれが生じる。このような観点から、前記離隔距離ｉは、上記の寸法範囲内に設定するのが好ましい。
【００２０】
以上の構成において、位置決め基準部の基準面は、その全領域が、第１領域の外側面よりも内側（管軸側）に位置していることが好ましい。
【００２１】
すなわち、位置決め基準部を例えば第１領域の近傍に形成した場合に、その基準面が第１領域の外側面よりも外側に位置していると、位置決め基準部と第１領域の外側面との間が、窪みを有する入り組んだ複雑な形状となるおそれがあるため、ボトム金型の設計製作が複雑になったり、或いはその周辺のガラス温度バランスが悪化して、成型不良を招く要因となる。しかしながら、位置決め基準部の基準面の全領域が、第１領域の外側面よりも内側に位置していると、位置決め基準部を第１領域の近傍に形成した場合であっても、その周辺の形状が複雑になるという事態は生じず、金型の設計製作や成型作業の容易化が図られ、製作コストの低廉化に寄与することができる。しかも、位置決め基準部の基準面が不当に突出するという事態が回避され、位置決め基準部周辺のガラス温度バランスの悪化及びこれに起因する成型不良の発生確率が低減される。
【００２２】
以上の構成において、位置決め基準部の基準面は、未研磨面であることが好ましい。
【００２３】
このようにすれば、ガラスの温度特性等を適切に把握し、プレス成型時の温度管理等を適切に行うことにより、高品位の位置決め基準部を有する陰極線管用ガラスファンネルを製作できると共に、成型後の研磨作業が不要となり、製作に要する手間やコストを軽減することが可能となる。
【発明の効果】
【００２４】
以上のように本発明に係る陰極線管用ガラスファンネルによれば、ボディ部の広開口端周辺に形成された厚肉部をなす第１領域と、その狭開口端側に隣接して形成された薄肉部をなす第２領域とを備えた構成において、第２領域のみの外側面に位置決め基準部を形成し、第１領域には位置決め基準部が一切跨っていないことから、従来と比較して、第１領域の肉厚が厚くなることによる熱容量の不当な増大及びこれに起因する冷却阻害が抑制される。これにより、成型時における第１領域と第２領域とのガラス温度バランスが改善されると同時に、第１領域における位置決め基準部の形成箇所と非形成箇所とについてもガラス温度バランスに不当な悪影響が生じ難くなり、良好な成形性を確保することが可能となる。しかも、第２領域は薄肉部であって、本来的に充分な冷却が行われ得る部位であるため、この第２領域の外側面に位置決め基準部を形成しても、その事によって第２領域に冷却阻害が生じる確率は極めて低くなり、良好な成形性を維持することが可能となる。
【００２５】
この場合、ボディ部の広開口端近傍の最大外形線から管軸と平行に第１領域の狭開口端側の端縁に至るまでの所定距離ｈが、２ｍｍ＜ｈ＜１５ｍｍの関係を満たし、且つその最大外形線から管軸と平行に位置決め基準部の広開口端側の端縁に至るまでの離間距離ｉが、ｉ＜ｈ＋２０ｍｍの関係を満たすようにすれば、金型のメンテナンスが容易になり、またファンネルの充分な軽量化やパネルに対する所要の溶着強度を確保する上で有利になると共に、厚肉部の領域が広くなり過ぎることによる冷却の困難化や位置決め基準部周辺の成型不良の発生が的確に回避され、しかも第２領域の外側面の勾配が緩やかになり過ぎることによる位置決め基準部の肉厚の不当な増大及びこれに起因する位置決め基準部周辺のガラス温度バランスの悪化や成型不良等の発生確率が低減される。
【００２６】
また、位置決め基準部の基準面の全領域を、第１領域の外側面よりも内側に位置させれば、位置決め基準部を第１領域の近傍に形成した場合であっても、その周辺の形状が複雑になるという事態は生じず、金型の設計製作や成型作業の容易化が図られ、製作コストの低廉化に寄与することができると共に、位置決め基準部の基準面が不当に突出するという事態が回避され、位置決め基準部周辺のガラス温度バランスの悪化及びこれに起因する成型不良の発生確率が低減される。
【００２７】
更に、位置決め基準部の基準面を未研磨面とすれば、ガラスの温度特性等を適切に把握し、プレス成型時の温度管理等を適切に行うことにより、高品位の位置決め基準部を有する陰極線管用ガラスファンネルを製作できると共に、成型後の研磨作業が不要となり、製作に要する手間やコストを軽減することが可能となる。
【発明を実施するための最良の形態】
【００２８】
以下、本発明の実施形態を図面に基づいて説明する。図１は、本発明の第１実施形態に係る陰極線管用ガラスファンネルの全体構成を示す斜視図、図２(a)は、当該ファンネルの一辺部の部分拡大縦断面図、図２(b)は、当該ファンネルの一辺部の部分拡大正面図である。
【００２９】
図１に示すように、本発明の第１実施形態に係るファンネル１は、管軸Ｚ方向の一端に、パネル（図示略）との封合に供される略矩形の広開口端（シールエッジ面）２を有すると共に、同方向の他端に、ネック部３が溶着される略円形の狭開口端４を有する。そして、管軸Ｚを中心軸線として略漏斗状を呈するファンネル１の側壁部は、広開口端２から狭開口端４側の所定位置に至るボディ部５と、その狭開口端４側に連なるヨーク部６とを有し、ボディ部５は、相対向する２つの長辺部5aと相対向する２つの短辺部5bとを備えている。
【００３０】
このボディ部５には、図２(a),(b)にも示すように、シールエッジ面２から狭開口端４側に僅かな距離を隔てた位置に、最大外形線となるモールドマッチライン７が形成されると共に、シールエッジ面２の内外方向（厚み方向）の両端には、面取り部８が形成されている。上記のモールドマッチライン７は、ファンネル１のプレス成型時に、雌型を構成するボトム金型とシェル金型との型合せ面に対応して形成されるものである。
【００３１】
更に、このボディ部５は、モールドマッチライン７から管軸Ｚと平行に狭開口端４側に所定距離ｈを隔てた位置に至る第１領域11と、その狭開口端４側の第２領域12とを有し、第１領域11の肉厚は第２領域12の肉厚よりも厚くされている。この場合、上記の所定距離ｈは、２ｍｍ＜ｈ＜１５ｍｍの関係を満たしており、例えばｈは７ｍｍとされる。そして、この両領域11、12の肉厚を相違させるために、第１領域11の外側面11aと第２領域12の外側面12aとの連なり部に段差Ｔが設けられている。なお、この実施形態では、モールドマッチライン７からシールエッジ面２に至るエッジ近傍領域13の肉厚も、第２領域12の肉厚よりも厚くされている。また、第２領域12は、ヨーク部６を含んでいる。
【００３２】
第１領域11の外側面11aは、平面に近似する極めて大きな曲率半径の凸状大径円弧面11aaと、この凸状大径円弧面11aaの狭開口端４側の端部に内接するように連接された相対的に小さな曲率半径の凸状小径円弧面11abとから構成されている。一方、第２領域12の外側面12aは、急激な肉厚変化を伴うことなく狭開口端４側に移行するに連れて管軸Ｚに漸次近づく湾曲面12aaと、この湾曲面12aaの広開口端２側の端部に外接するように連接された相対的に小さな曲率半径の凹状小径円弧面12abとから構成されている。そして、第１領域11の凸状小径円弧面11abと第２領域12の凹状小径円弧面12abとが外接するように連接され、この連接部Ｘが両領域11、12の外側面11a、12aの境界とされている。この場合、段差Ｔは、凸状小径円弧面11abと凹状小径円弧面12abとからなる段差形成領域T1に設けられている。なお、凸状大径円弧面11aa、凸状小径円弧面11ab、及び凹状小径円弧面12abはそれぞれ、単一の曲率半径の円弧面であってもよく、２以上の異なる曲率半径の円弧面が内接するように連接された複数の曲率を有する円弧面であってもよい。
【００３３】
このボディ部５には、少なくとも３箇所、詳しくは、一つのコーナー部を挟んで配置されている長辺部5aの周方向（シールエッジ面２に沿う方向）の両端部と短辺部5bの一端部とに、パネルとの封合時に治具に当接させるための基準面10aを有する位置決め基準部10が形成されている。なお、図２(a)には、位置決め基準部10が第２領域12の外側面12aから突出している部分のみに平行斜線を付している（以下の図３(a)、図４(a)も同様）。
【００３４】
位置決め基準部10は、第２領域12の外側面12aのみに、この実施形態では第２領域12の外側面12aにおける凹状小径円弧面12abよりも狭開口端４側の位置（段差形成領域T1よりも狭開口端４側の位置）を始端として、狭開口端４側に向かって形成されている。そして、図２(a)に示すように、位置決め基準部10の基準面10aは、第１領域11の外側面11aよりも内側、より具体的には第２領域12の外側面12aにおける凹状小径円弧面12abと湾曲面12aaとの連接部Ａよりも内側に位置して
いる。
【００３５】
この基準面10aは、管軸Ｚと平行または略平行な平面、例えば金型（ボトム金型）に対する必要最小限の抜け勾配が設けられた平面であって、プレス成型後に研磨加工が施されていない未研磨面である。そして、この基準面10aの狭開口端２側の端部は、第１領域11における上述の凸状小径円弧面11abと同等またはそれよりも小さな曲率半径の凸状小径円弧面10aaに連接されている。また、この凸状小径円弧面10aaの狭開口端４側の端部は、第２領域12における上述の凹状小径円弧面12abと同等またはそれよりも小さな曲率半径の凹状小径円弧面10abに外接するように連接されている。更に、この凹状小径円弧面10abの狭開口端４側の端部は、第２領域12の湾曲面12aaに外接するように連接されている。
【００３６】
一方、この基準面10aの広開口端２側の端部は、第２領域12における上述の凹状小径円弧面12abと同等またはそれよりも大きな曲率半径の凹状小径円弧面10acを介在させて第２領域12の湾曲面12aaに滑らかに連なっている。そして、ボディ部５のモールドマッチライン７から、管軸Ｚと平行に、位置決め基準部10の広開口端２側の端縁部Ｂつまり位置決め基準部10の凹状小径円弧面10acと第２領域12の湾曲面12aaとの連接部Ｂまでの離間距離ｉは、第１領域11のモールドマッチライン７からの所定距離ｈに対して、ｉ＜ｈ＋２０ｍｍの関係を満たしている。この場合、例えばｈが７ｍｍに対してｉは１３ｍｍとされる。なお、この位置決め基準部10における上述の凸状小径円弧面10aaおよび凹状小径円弧面10ab、10acもそれぞれ、単一の曲率半径の円弧面であってもよく、２以上の異なる曲率半径の円弧面が内接するように連接された複数の曲率を有する円弧面であってもよい。
【００３７】
そして、図２(b)に示すように、この基準面10aの全周囲は、広開口端２側の端縁部を除外すれば、上記の狭開口端４側の端部と同様に、凸状小径円弧面10aaおよび凹状小径円弧面10abを介して第２領域12の外側面12a（湾曲面12aa）に連なっている。また、この基準面10aの輪郭は、広開口端２側の端縁部が直線であって、その他の部分は、全てが複数の曲率半径の円弧が内接するように連接された
湾曲線である。
【００３８】
以上のような構成によれば、従来のようにボディ部の少なくとも第１領域の外側面から位置決め基準部の基準面までの突出寸法を２〜２．５ｍｍ程度に設定していた場合と比較して、位置決め基準部10が第２領域12の外側面12a（湾曲面12aa）から外方に突出している肉部（図２(a)に平行斜線を付した部分）の体積が小さくなる。また、これに伴って、基準面10aの全周囲と第２領域12の湾曲面12aaとを繋ぐ繋ぎ部（特に、凸状小径円弧面10aa及び凹状小径円弧面10ab）の形成領域も狭くなる。そして、第１領域11の熱容量が従来に比して増大することはなく、プレス成型時における第１領域11と第２領域12とのガラス温度バランスが改善される。また、第１領域11における位置決め基準部10の形成箇所と非形成箇所とについてもガラス温度バランスの悪化が生じなくなる。しかも、第２領域12は薄肉部であって、プレス成型時には本来的に充分な冷却が行われ得る部位であるため、この第２領域12の外側面12aに位置決め基準部10を形成しても、その事によって第２領域12に冷却阻害が生じる確率は極めて低くなる。これにより、ファンネル１の位置決め基準部10に対する良好な成形性を確保することが可能となる。
【００３９】
図３(a)は、本発明の第２実施形態に係るファンネルの主要部を示す部分拡大縦断面図、図３(b)は、その正面図である。この第２実施形態に係るファンネル１は、ボディ部５の第２領域12の外側面12aにおける凹状小径円弧面12abを始端として、狭開口端４側に向かって位置決め基準部10を形成したものである。この場合、位置決め基準部10の始端位置Ｂにおいては、基準面10aの広開口端２側の端縁部を凹状円弧面10acを介して滑らかに第２領域12の凹状小径円弧面12abに連ねさせることが好ましい。この第２実施形態に係るファンネル１は、ここで述べた事項以外の主要な構成については上述の第１実施形態に係るファンネル１と同一である。従って、この両者に共通の主要な構成要件については、図３(a),(b)に同一符号を付し、その説明を省略する。
【００４０】
図４(a)は、本発明の第３実施形態に係るファンネルの主要部を示す部分拡大縦断面図、図４(b)は、その正面図である。この第５実施形態は、ボディ部５の勾配、特に第２領域12の外側面12aの勾配が、上述の第１、第２実施形態に比して、緩やかになっているファンネル１に本発明を適用したものである。この第３実施形態に係るファンネル１は、ここで述べた事項以外の主要な構成については上述の第１実施形態に係るファンネル１と同一である。従って、この両者に共通の主要な構成要件については、図４(a),(b)に同一符号を付し、その説明を省略する。
【００４１】
なお、以上の第１〜第３実施形態は、第１領域11がボディ部５の全周に亘って形成されたファンネル１について本発明を適用したものであるが、本発明はこれに限られるものではなく、例えば図５に示すように、ボディ部５のコーナー部（対角部）14を除く範囲に第１領域11が形成されたファンネル１、換言すればコーナー部14に第１領域11が形成されていないファンネル１についても、同様にして本発明を適用することができる。したがって、この場合にも、ボディ部５の第１領域11よりも狭開口端４側の第２領域12に、上述の第１〜第３実施形態と同様に位置決め基準部10が形成されていることになる。
【００４２】
但し、このようにボディ部５のコーナー部14を除く範囲に第１領域11が形成されたファンネル１であっても、図６に示すように、第１領域11よりも狭開口端４側の第２領域12ではない箇所に位置決め基準部10が形成されたファンネル１（図例ではモールドマッチライン７を始端として狭開口端４側に向かって位置決め基準部10が形成されたファンネル１）は、本発明に含まれるものではない。
【図面の簡単な説明】
【００４３】
【図１】本発明の第１実施形態に係る陰極線管用ガラスファンネルの全体構成を示す斜視図である。
【図２】図２(a)は、本発明の第１実施形態に係る陰極線管用ガラスファンネルの主要部を示す部分拡大縦断面図、図２(b)は、その正面図である。
【図３】図３(a)は、本発明の第２実施形態に係る陰極線管用ガラスファンネルの主要部を示す部分拡大縦断面図、図３(b)は、その正面図である。
【図４】図４(a)は、本発明の第３実施形態に係る陰極線管用ガラスファンネルの主要部を示す部分拡大縦断面図、図４(b)は、その正面図である。
【図５】本発明の第４実施形態に係る陰極線管用ガラスファンネルの全体構成を示す斜視図である。
【図６】本発明の実施形態ではなく、したがって本発明に含まれるものではないが、本発明に関連する陰極線管用ガラスファンネルの全体構成を示す斜視図である。
【図７】図７(a)は、従来例に係る陰極線管用ガラスファンネルの主要部を示す部分拡大縦断面図、図７(b)は、その正面図である。
【符号の説明】
【００４４】
１    ファンネル（陰極線管用ガラスファンネル）
２    広開口端（シールエッジ面）
４    狭開口端
５    ボディ部
６    ヨーク部
７    最大外形線（モールドマッチライン）
10    位置決め基準部
10a   基準面
11    第１領域
11a   第１領域の外側面
12    第２領域
12a   第２領域の外側面
ｈ    第１領域のモールドマッチラインからの所定距離
ｉ    モールドマッチラインから位置決め基準部の広開口端側の端縁に至るまでの離間距離
Ｔ    段差
T1    段差形成領域
【図１】
2004221050.tif 000003
【図２】
2004221050.tif 000004
【図３】
2004221050.tif 000005
【図４】
2004221050.tif 000006
【図５】
2004221050.tif 000007
【図６】
2004221050.tif 000008
【図７】
2004221050.tif 000009